(57)【特許請求の範囲】
【請求項１】
筆記用ニブ５０１を備えているカートリッジ５００と；
前記カートリッジ５００が内部に収容された状態でカートリッジ５００が上下移動するようにスリットが形成されている中結部７００と；
前記中結部７００と固定結合され、前記ニブ５０１が出没するようにニブ孔が形成されている下軸２００と；
前記中結部７００と下軸２００が一体的に回転することにより、中結部７００の内部に収容されているカートリッジ５００が移動するようにネジ部が形成されている上軸１００と；
前記カートリッジ５００の上下移動により、ニブ５０１の前進の際に進行通路が開放され、ニブ５０１の後退の際には進行通路が閉鎖されてニブ５０１が密閉空間に収容されるように下軸２００の内部に位置しているボールシャッター６００とを含んでなり、
前記中結部７００と下軸２００が一体的に回転することにより前記カートリッジ５００が下方に移動して前記下軸２００からニブ５０１が外部に突出するように構成され、
前記カートリッジ５００は、
前記ボールシャッター６００の内部を通過したカートリッジ５００のニブ５０１がそれ以上前記ボールシャッター６００から前進しないようにニブ延長軸５０２とインク供給部の連結部に形成されているボールシャッター係止段部５０５と；
第１スプリング７１が前記カートリッジ５００とボールシャッター６００の他端の間で弾性力を発生させるように前記インク供給部の外面中間地点に突設されたスプリング係止突起５０３と；
前記インク供給部の端部に、前記上軸１００のネジ部に沿って移動するとともに前記中結部７００のスリットに沿って直線移動するように突設されているネジ部移動突起５０４と；
前記ボールシャッター６００のスリットの範囲内で直線移動するように、前記ボールシャッター係止段部５０５に突設されているボールシャッター移動突起５０９とを含んでなることを特徴とする、乾燥防止装置を備えた回転式出没型筆記具。
【請求項２】
前記ボールシャッター６００は、
前記下軸２００のニブ孔と密着して面接するＯリング部６１０と；
前記ニブ５０１を外部から密閉して遮断させるように球面６２１を有するボール型ドア６２０と；
前記ニブ５０１の貫通路を形成する管形のホルダー６３０と；
前記Ｏリング部６１０とボール型ドア６２０を連結する第１ヒンジ部６１３と；
前記ボール型ドア６２０とホルダー６３０を互いに一体的に連結する第２ヒンジ部６３５とを含んでなり、
固定状態の前記Ｏリング部６１０から前記ホルダー６３０が遠くなるにつれて前記第１ヒンジ部６１３と第２ヒンジ部６３５が折れて前記ボール型ドア６２０が回転することにより前記ニブ５０１の貫通路を閉鎖するように構成されることを特徴とする、請求項１に記載の乾燥防止装置を備えた回転式出没型筆記具。
【請求項３】
前記ボールシャッター６００のホルダー６３０は前記カートリッジ５００の方向にカートリッジ移動スリット６０９が形成され、前記カートリッジ５００のボールシャッター移動突起５０９が前記カートリッジ移動スリット６０９の範囲内で移動するようにすることを特徴とする、請求項１に記載の乾燥防止装置を備えた回転式出没型筆記具。
【請求項４】
前記下軸２００は、
前記中結部７００との固定結合のために、前記中結部７００の下軸結合用突条に対応する位置に、これとかみ合うように一側に形成されている溝２０２と；
前記ボールシャッター６００の上部リングが固定的に付着されるように他側の内壁面に形成されているリング固定段部２０４と；
前記ボールシャッター６００の外面段部とともに第２スプリング７２の両端と当接するように前記リング固定段部２０４から一定距離に形成されている第２スプリング係止段部２０３と；を含んでなることを特徴とする、請求項１に記載の乾燥防止装置を備えた回転式出没型筆記具。
【請求項５】
筆記用ニブ５０１を備えているカートリッジ５００と；
前記カートリッジ５００が内部に収容された状態でカートリッジ５００が上下移動するようにスリットが形成されている中結部７００と；
前記中結部７００と固定結合され、前記ニブ５０１が出没するようにニブ孔が形成されている下軸２００と；
前記中結部７００と下軸２００が一体的に回転することにより、中結部７００の内部に収容されているカートリッジ５００が移動するようにネジ部が形成されている上軸１００と；
前記カートリッジ５００の上下移動により、ニブ５０１の前進の際に進行通路が開放され、ニブ５０１の後退の際には進行通路が閉鎖されてニブ５０１が密閉空間に収容されるように下軸２００の内部に位置しているボールシャッター６００とを含んでなり、
前記中結部７００と下軸２００が一体的に回転することにより前記カートリッジ５００が下方に移動して前記下軸２００からニブ５０１が外部に突出するように構成され、
前記上軸１００は、
挿入された前記中結部７００の上軸結合用溝と回転可能に結合されるように、内面一側に形成されている中結部結合用突条１０１と；
前記中結部結合用突条１０１から一定距離に設けられ、前記中結部７００の回転防止突起が越えることができる所定の突出厚さを持つストッパー１０３と；
前記ストッパー１０３の一側に前記中結部７００の回転防止突起が越えることができない所定の突出厚さを持つ係止突起１０４と；
前記カートリッジ５００が前記中結部７００と一緒に回転するとき、前記カートリッジ５００のネジ部移動突起が移動するガイドラインをなすように、前記ストッパー１０３または係止突起１０４から一定距離に形成されている上軸ネジ部１０２と；を含んでなることを特徴とする、乾燥防止装置を備えた回転式出没型筆記具。
【発明の詳細な説明】
【技術分野】
【０００１】
本発明は乾燥防止装置を備えた回転式出没型筆記具に係り、より詳しくは筆記用インクを収容しているニブを備えた筆記具において、筆記具の上軸と下軸が互いに反対に回転することによりカートリッジの移動と開閉モジュールの開閉が連続動作で行われるようにする乾燥防止装置を備えた回転式出没型筆記具に関する。
【背景技術】
【０００２】
一般に、マーカーペンのようにニブを備える筆記具は、ニブに吸収されているインクが乾かないようにキャップを備えている。
【０００３】
しかし、筆記具を使うときは、キャップを開けなければならなく、使用後にも必ずキャップを閉じなければならないため煩わしいだけでなく、両手で開けるか閉じなければならないため、一手が作業しているときはキャップを開けるか閉じることができなくなるか、あるいはキャップを開けるか閉じるために作業中の仕事を中断しなければならない問題点が発生することになる。
【０００４】
前記のような問題点を解決するために、筆記具の端部に付着されているノック部の作動によって自動でニブ出入路が開閉するようにする従来技術が知られたことがあるが、これは、かばんなどに入れる場合、ノック部が外圧によって自動で押されてニブが突出することになるため、ニブに吸収されているインクが周辺の品物などに付くなどのインク放出の危険があるだけでなく、ニブの形態そのものが壊れて筆記ができなくなる。
【先行技術文献】
【特許文献】
【０００５】
【特許文献１】特開平１０−１６６７８１号公報
【発明の概要】
【発明が解決しようとする課題】
【０００６】
したがって、前記のような問題点を解決するための本発明の目的は、筆記具の上部と下部が互いに反対方向に回転することによりカートリッジがペン芯の方向に上下移動するようにし、カートリッジの移動によって開閉モジュールが開閉することによってニブがニブ孔に出没するようにする乾燥防止装置を備えた回転式出没型筆記具を提供することである。
【０００７】
また、本発明の目的は、前記開閉モジュールがカートリッジのニブ孔の方向への前進によってニブがニブ孔に出没することができる経路を提供するようにし、カートリッジの後退の際にはニブを密閉させるようにすることでインクが蒸発しないようにする乾燥防止装置を備えた回転式出没型筆記具を提供することである。
【課題を解決するための手段】
【０００８】
前記のような本発明の目的は、筆記用ニブを備えているカートリッジと；前記カートリッジが内部に収容された状態でカートリッジが上下移動するようにスリットが形成されている中結部と；前記中結部と固定結合され、前記ニブが出没するようにニブ孔が形成されている下軸と；前記中結部と下軸が一体的に回転することにより、中結部の内部に収容されているカートリッジが移動するようにネジ部が形成されている上軸と；前記カートリッジの上下移動により、ニブの前進の際に進行通路が開放され、ニブの後退の際には進行通路が閉鎖されてニブが密閉空間に収容されるように下軸の内部に位置しているボールシャッターとを含んでなり、前記中結部と下軸が一体的に回転することにより前記カートリッジが下方に移動して前記下軸からニブが外部に突出するように構成されることを特徴とする、乾燥防止装置を備えた回転式出没型筆記具によって達成される。
【０００９】
また、本発明によれば、前記ボールシャッターは、前記下軸のニブ孔と密着して面接するＯリング部と；前記ニブを外部から密閉して遮断させるように球面を有するボール型ドアと；前記ニブの貫通路を形成する管形のホルダーと；前記Ｏリング部とボール型ドアを連結する第１ヒンジ部と；前記ボール型ドアとホルダーを互いに一体的に連結する第２ヒンジ部とを含んでなり、固定状態の前記Ｏリング部から前記ホルダーが遠くなるにつれて前記第１ヒンジ部と第２ヒンジ部が折れて前記ボール型ドアが回転することにより前記ニブの貫通路を閉鎖するように構成されることが好ましい。
【００１０】
また、本発明によれば、前記カートリッジは、前記ボールシャッターの内部を通過したカートリッジのニブがそれ以上前記ボールシャッターから前進しないようにニブ延長軸とインク供給部の連結部に形成されているボールシャッター係止段部と；第１スプリングが前記カートリッジとボールシャッターの他端の間で弾性力を発生させるように前記インク供給部の外面中間地点に突設されたスプリング係止突起と；前記インク供給部の端部に、前記上軸のネジ部に沿って移動するとともに前記中結部のスリットに沿って直線移動するように突設されているネジ部移動突起と；前記ボールシャッターのスリットの範囲内で直線移動するように、前記ボールシャッター係止段部に突設されているボールシャッター移動突起とを含んでなることが好ましい。
【００１１】
また、本発明によれば、前記ボールシャッターのホルダーは前記カートリッジの方向にカートリッジ移動スリットが形成され、前記カートリッジのボールシャッター移動突起が前記カートリッジ移動スリットの範囲内で移動するようにすることが好ましい。
また、本発明によれば、前記中結部は、一側が前記下軸の内部溝と対応してかみ合って固定結合されるように、一側端部にリング形に形成されている下軸結合用突条と；前記中結部と上軸が回転可能に結合されるように、前記下軸結合用突条から一定距離に形成されている環状の上軸結合用溝と；前記上軸結合用溝から一定距離に突設されている回転防止突起と；を含んでなり、前記中結部の内部に収容されている前記カートリッジのネジ部移動突起がスリットの外部に突出して、前記中結部と下軸の回転によって前記ネジ部移動突起を前記スリットの間で移動させるように構成されることが好ましい。
【００１２】
また、本発明によれば、前記中結部は、前記中結部と下軸が堅く固定されるように、前記下軸結合用突条上に前記下軸結合用突条に対して直角に設けられた下軸結合用溝をさらに含み、前記下軸との結合の際、これと対応する位置の前記下軸の段部とかみ合うように構成されることが好ましい。
【００１３】
また、本発明によれば、前記下軸は、前記中結部との固定結合のために、前記中結部の下軸結合用突条に対応する位置に、これとかみ合うように一側に形成されている溝と；前記ボールシャッターの上部リングが固定的に付着されるように他側の内壁面に形成されているリング固定段部と；前記ボールシャッターの外面段部とともに第２スプリングの両端と当接するように前記リング固定段部から一定距離に形成されている第２スプリング係止段部と；を含んでなることが好ましい。
【００１４】
また、本発明によれば、前記上軸は、挿入された前記中結部の上軸結合用溝と回転可能に結合されるように、内面一側に形成されている中結部結合用突条と；前記中結部結合用突条から一定距離に設けられ、前記中結部の回転防止突起が越えることができる所定の突出厚さを持つストッパーと；前記ストッパーの一側に前記中結部の回転防止突起が越えることができない所定の突出厚さを持つ係止突起と；前記カートリッジが前記中結部と一緒に回転するとき、前記カートリッジのネジ部移動突起が移動するガイドラインをなすように、前記ストッパーまたは係止突起から一定距離に形成されている上軸ネジ部と；を含んでなることが好ましい。
【発明の効果】
【００１５】
前記のような本発明の乾燥防止装置を備えた回転式出没型筆記具によれば、筆記具の上下部が回転することによりニブが突出することができるので、筆記具本体のどの部位が外圧を受けてもニブが突出しないので、かばんなどに安全に収容することができる利点がある。
【００１６】
また、本発明の乾燥防止装置を備えた回転式出没型筆記具によれば、回転によるカートリッジの移動によってニブを収容している開閉モジュールが開閉するようにすることでニブのインク蒸発を防止することができる利点もある。
【図面の簡単な説明】
【００１７】
【図１】本発明の実施例による乾燥防止装置を備えた回転式出没型筆記具の分解斜視図
【図２】本発明の実施例によるカートリッジの斜視図及び側面図
【図３】本発明の実施例による中結部の斜視図及び側面図
【図４】本発明の実施例による下軸の斜視図及び断面図
【図５】本発明の実施例による上軸の斜視図及び断面図
【図６】本発明の実施例によるボールシャッターの斜視図及び側面図
【図７】図６のボールシャッター駆動状態の断面図
【図８】図６のボールシャッター駆動状態の断面図
【図９】本発明の実施例による乾燥防止装置を備えた回転式出没型筆記具の没入状態図
【図１０】本発明の実施例による乾燥防止装置を備えた回転式出没型筆記具の前進状態図
【図１１】本発明の実施例による乾燥防止装置を備えた回転式出没型筆記具の固定状態図
【符号の説明】
【００１８】
１００：上軸   ２００：下軸
５００：カートリッジ ６００：ボールシャッター
７００：中結部
【発明を実施するための形態】
【００１９】
以下、本発明の乾燥防止装置を備えた回転式出没型筆記具の実施例を添付図面に基づいてより詳細に説明する。
【００２０】
図１は本発明の実施例による乾燥防止装置を備えた回転式出没型筆記具の分解斜視図を示すものである。
【００２１】
図１に示すように、本発明の乾燥防止装置を備えた回転式出没型筆記具は、筆記用ニブ５０１を備えているカートリッジ５００、前記カートリッジが内部で上下移動するようにスリットが形成されている中結部７００、前記中結部に固定結合されている下軸２００、前記中結部と下軸が一体的に回転することによって中結部の内部に収容されているカートリッジ突起が移動するようにネジ部が形成されている上軸１００、及び前記カートリッジの上下移動によってニブ孔を開閉させるようにするボールシャッター６００からなっている。
【００２２】
その外に、カートリッジの弾性移動及びボールシャッターの開閉のための第１スプリング７１と第２スプリング７２が上軸の内部のカートリッジと結合されている。
【００２３】
この際、前記第１スプリング７１の弾性力は第２スプリング７２の弾性力よりも高いため、カートリッジから同一圧力を受けても第２スプリング７２が先に圧縮された後、第１スプリング７１が圧縮されることが好ましい。
【００２４】
また、本発明の各付属品は、それぞれの結合がもっと堅くなり、作動においてももっと力を分散させるように突起及びこれに対応する段部、溝あるいはネジ部などが外面または内面の一面と他側面上に一対ずつ形成されることが好ましい。
【００２５】
また、後述する本発明の実施例において、ニブが突出するニブ孔の方向を下と、ニブが没入する方向を上と指称し、動作においてニブ孔の方向が前進または上方になり、その反対方向が後退、後進または下方になる。
【００２６】
図２は本発明の実施例によるカートリッジ５００の斜視図及び側面図を示す。
【００２７】
図２に示すように、その一側にはニブ５０１が配置され、このようなニブ５０１はニブ延長軸５０２の一側端結合孔からインクを受けることができるように固定されている。
【００２８】
このようなニブ延長軸５０２はインク供給のために中空円形のチューブ状を有するもので、タンク部の直径より相対的に小さな直径を持っている。
【００２９】
また、ニブ延長軸５０２の端部には、タンク部から通常のインク供給方式（例えば、毛細管現象、圧力差、吸入など）によってインクあるいはタンク部に保管している任意の内容物を該当筆記具の種類に対応する通常の供給方式で受けることができるように、ニブ５０１が固定されることができる。
【００３０】
前記ニブ５０１は、筆記具の種類によって、油性または水性インク用チップ、ホワイト液排出用チップ、蛍光ペン用チップ、マーカーペン用チップなどが使われ、それぞれの前記チップに対応するインク供給方式が適用できるのはいうまでもない。
【００３１】
前記カートリッジ５００は後述する出没動作による出没メカニズムによってニブ５０１が下軸２００のニブ孔２０５から突出または没入する。
【００３２】
前記カートリッジ５００はニブ延長軸５０２とインク供給部の連結部にボールシャッター係止段部５０５が形成されているので、前記ボールシャッター６００の内部を通過したカートリッジ５００のニブ５０１がそれ以上ボールシャッター６００から前進しないようにする。
【００３３】
前記カートリッジ５００はインク供給部の外面中間地点で突出したスプリング係止突起５０３が形成されているので、後述する第１スプリング７１がカートリッジ５００のスプリング係止突起５０３とボールシャッター６００の他端の間で弾性力を発生させるようにする。
【００３４】
前記カートリッジ５００のインク供給部の端部にはネジ部移動突起５０４が形成されている。
【００３５】
前記ネジ部移動突起５０４は後述する上軸１００の内面に陰刻で形成されているネジ部に沿って移動するようになっており、後述する中結部７００のスリットに沿って直線移動するようになっている。
【００３６】
また、前記カートリッジ５００はボールシャッター係止段部５０５にボールシャッター移動突起５０９が形成されているので、後述するボールシャッター６００のスリット範囲内で直線移動するようになる。
【００３７】
図３は前記カートリッジ５００が内部で上下移動するようにスリットが形成されている本発明の実施例による中結部７００の斜視図及び側面図を示す。
【００３８】
図３に示すように、前記中結部７００はその内部に収容されているカートリッジ５００が両側で上下に移動するように貫通型に形成されている。
【００３９】
また、前記中結部７００はその一側が後述する下軸２００と固定結合されるように一側端部に下軸結合用突条７０４がリング形に形成されているので、後述する下軸２００の内部溝と対応してかみ合うようにする。
【００４０】
好ましくは、中結部７００と下軸２００間の堅い固定のために、下軸結合用突条７０４上に前記下軸結合用突条７０４に対して直角となる下軸結合用溝７０５が形成されることにより、下軸２００との結合の際に、これと対応する位置（下軸２００の内部に形成）の段部とかみ合うようにすることで、中結部７００と下軸２００間の相対回転ができないようにすることができる。
【００４１】
前記中結部７００は下軸結合用突条７０４から一定距離に環状の上軸結合用溝７０６が形成されているので、上軸１００から回転可能に結合されるようにする。
【００４２】
また、前記上軸結合用溝７０６から一定距離に回転防止突起７０１が突設されているので、後述する上軸１００に対する回転の際に、回転防止突起７０１が上軸１００のストッパーと係止突起の間でかかるようにして、それ以上回転できないようにする。
【００４３】
一方、前記回転防止突起７０１から中結部７００の他端までスリット７０２が形成されている。
【００４４】
すなわち、前記中結部７００の内部に収容されているカートリッジ５００のネジ部移動突起５０４がスリット７０２の外部に突出しているので、中結部７００と下軸２００の回転によって前記ネジ部移動突起５０４をスリット７０２内で移動させるようにする。
【００４５】
図４はカートリッジ５００を収容し、ニブが出没する本発明の実施例による下軸２００の斜視図及び断面図を示す。
【００４６】
図４に示すように、下軸２００の一側は、中結部７００との固定結合のために、溝２０２及び段部（図示せず）が中結部７００の下軸結合用突条７０４及び下軸結合用溝７０５と対応する位置に形成されてこれらとかみ合うようになっている。
【００４７】
また、下軸２００の他端は、ニブ５０１が突出あるいは没入することができるように、円形のニブ孔２０５が形成されており、その内部にはボールシャッター６００の上部リングが保持できるようにリング固定段部２０４が形成されている。
【００４８】
また、下軸２００は前記リング固定段部２０４から一定距離に第２スプリング係止段部２０３が内部に形成されているので、後述するボールシャッター６００の外面段部と第２スプリング係止段部２０３の間に第２スプリング７２が収容される。
【００４９】
図５は本発明の実施例による上軸１００の斜視図及び断面図を示す。
【００５０】
図５に示すように、上軸１００は内面の一側に中結部結合用突条１０１が形成され、円筒状に形成されているので、前述した中結部７００が挿入されるとき、中結部７００の上軸結合用溝７０６と回転可能に結合される。
【００５１】
また、上軸１００は前記中結部結合用突条１０１から一定距離に突出型のストッパー１０３と係止突起１０４が形成されているので、中結部７００の回転防止突起７０１とかみ合うようになる。
【００５２】
すなわち、前記中結部７００が上軸１００に対して回転するにつれて回転防止突起７０１がストッパー１０３と当接し、中結部７００をさらに回転させると、ストッパー１０３を越えた回転防止突起７０１がストッパー１０３にかかることで、中結部７００が回転反対方向に回転することができないようにする。
【００５３】
また、ストッパー１０３を越えた前記回転防止突起７０１が係止突起１０４にかかることによりそれ以上中結部７００は回転できなく、ストッパー１０３によって中結部７００が回転反対方向にも回転できないように堅く固定される。
【００５４】
このために、ストッパー１０３より係止突起１０４がもっと突出することが好ましい。
【００５５】
また、前記ストッパー１０３と係止突起１０４から一定距離に上軸ネジ部１０２が形成されている。
【００５６】
前記上軸ネジ部１０２は、カートリッジ５００が中結部７００と一緒に回転するとき、カートリッジ５００のネジ部移動突起５０４が移動するガイドラインとなる。
【００５７】
前記上軸ネジ部１０２のネジ部角度によって中結部７００及び下軸２００の回転範囲（１８０度程度回転）内で中結部７００のスリット７０２に沿って移動するカートリッジ５００の移動経路の範囲が決定され、カートリッジ５００のニブ５０１が充分にニブ孔を通じて突出するように上軸ネジ部１０２は所定のネジ部傾斜を持つことが好ましい。
【００５８】
図６は本発明の実施例によるボールシャッター６００の斜視図及び断面図を示すものである。
【００５９】
図６に示すように、前記ボールシャッター６００は本出願人が既に出願して公開された大韓民国公開特許番号第１０−２００８−００７４２６９号と既に出願して登録された大韓民国登録特許番号第１０−０７３８９０４号の‘乾燥防止装置を備えた出没式筆記具’の開閉モジュールと同一ないし類似の形態を持って作動する付属品である。
【００６０】
前記ボールシャッター６００はゴムタイプの弾性材で射出成形されていることから、繰り返される撓みにもなかなか疲労しなくて耐久性の向上を期待することができ、後述するボール型ドアがホルダーの入口にもっと密着して面接することができるので、インクの乾燥防止効果を一層極大化することができる。
【００６１】
また、前記ボールシャッター６００は、Ｏリング部６１０、ボール型ドア６２０及びホルダー６３０が一体的に成形されるように構成されている。
【００６２】
前記Ｏリング部６１０のＯリング６１１は前記下軸２００のニブ孔２０５と面接して固定されるように密着するリングタイプのパッキングである。
【００６３】
前記Ｏリング部６１０の垂直バー６１２は前記Ｏリング６１１の一側下端から垂直に伸びたバー状の支持部である。
【００６４】
前記ボール型ドア６２０は前記ホルダー６３０の被動節のような役目を担当することにより、結果としてニブ孔２０５を開閉させるドアの役目を担当する。
【００６５】
このために、ボール型ドア６２０は略半球形の球面６２１を形成している。
【００６６】
また、前記ボール型ドア６２０の球面６２１の反対側は開放した貫通路６２５が形成されているので、ボール型ドア６２０の回転によって筆記具が作動するときにカートリッジ５００が出没する通路を提供するようにする。
【００６７】
また、前記ボール型ドア６２０は前記球面６２１から伸びる尖塔型連結部６２３が形成されている。
【００６８】
前記ホルダー６３０は前記カートリッジ５００と決着して組み立てられる部分である。
【００６９】
また、前記ホルダー６３０の上端口６３２は、前記ボール型ドア６２０の球面６２１と密着して接触するように、前記ボール型ドア６２０の直径より小さいが前記カートリッジ５００の直径より大きい直径を持つようになる。
【００７０】
また、好ましくは、前記上端口６３２の内側を取り囲むようにゴムパッキングを介在することで前記球面６２１との密着度を高めることも可能である。
【００７１】
また、前記ホルダー６３０の上端部の両側から尖塔形態の連結部６３４が伸びており、その端部が前記ボール型ドア６２０の連結部６２３の端部と合うことになる。
【００７２】
第２ヒンジ部６３５は前記ホルダー６３０の連結部６３４と前記ボール型ドア６２０の連結部６２３が合う部分であり、前記第２ヒンジ部６３５によって前記ホルダー６３０の連結部６３４を軸として前記ボール型ドア６２０の連結部６２３が回転するようになる。
【００７３】
すなわち、前記ホルダー６３０の連結部６３４は前記上端口６３２の左右からそれぞれ同一形状に突設された三角面であり、その端部は尖塔形に収斂して前記ボール型ドア６２０の連結部６２３に連結される第２ヒンジ部６３５を構成している。
【００７４】
また、第１ヒンジ部６１３は、前記Ｏリング６１１の一側端部から突出して伸びた垂直バー６１２の端部と前記ボール型ドア６２０の下端両側部を互いに連結する連結部材であり、前記Ｏリング部６１０から前記ボール型ドア６２０がヒンジ作用をするようにする。
【００７５】
このために、前記第１ヒンジ部６１３は円形帯状になっていることが好ましく、前記円形帯上に前記垂直バー６１２の端部と前記ボール型ドア６２０の下端が一体的に形成されている。
【００７６】
また、前記ホルダー６３０は上端口６３２下部にカートリッジ係止段部（図示せず）と段部６０７が形成されている。
【００７７】
前記カートリッジ係止段部はホルダー６３０の内部に形成されている段部であり、ホルダー６３０の内部に挿入されたカートリッジ５００がカートリッジ係止段部と当接することで、カートリッジ５００がそれ以上ニブ孔２０５の方向に前進しないようにする。
【００７８】
前記段部６０７はホルダー６３０外部に形成されており、前記段部６０７は第２スプリング７２と当接するようになる。
【００７９】
前記ホルダー６３０の一側端部とカートリッジ５００のスプリング係止突起５０３は第１スプリング７１の両端と当接するように形成されている。
【００８０】
また、前記ホルダー６３０はカートリッジ５００の方向にカートリッジ移動スリット６０９が形成されることにより、カートリッジ５００のボールシャッター移動突起５０９が前記カートリッジ移動スリット６０９の範囲内で移動するようにする。
【００８１】
全体として前記ボールシャッター６００の連結関係をまとめて見れば、前記Ｏリング６１１は垂直バー６１２に連結され、前記垂直バー６１２は第１ヒンジ部６１３によってボール型ドア６２０に連結され、前記ボール型ドア６２０は前記第２ヒンジ部６３５によって前記ホルダー６３０の連結部６３４に連結され、前記連結部６３４はホルダー６３０の上端口６３２に連結されている一体型ボールシャッター６００を構成するようになる。
【００８２】
図７及び図８は図６のボールシャッターの駆動状態の断面図を示すものである。
【００８３】
したがって、図７及び図８に基づいて前記ボールシャッター６００の作動関係をまとめて見れば、前記ホルダー６３０が下軸２００のニブ孔２０５の内面上に固定された状態でホルダー６３０部分が引っぱられれば、前記連結部６３４によって前記ボール型ドア６２０が回転して前記第２ヒンジ部６３５と前記第１ヒンジ部６１３が折れるようになる。
【００８４】
すなわち、前記下軸２００のリング固定段部２０４にＯリング部６１０が固定付着された状態でホルダー６３０を引っぱれば、ボール型ドア６２０が９０度回転してホルダー６３０の入口を密閉し、さらにホルダー６３０を元の状態に移動させれば、ボール型ドア６２０が再び−９０度だけ回転してホルダー６３０を開放するようになる。
【００８５】
図９は本発明の実施例による乾燥防止装置を備えた回転式出没型筆記具の組立て状態（ニブが没入してホルダー内に密閉されて収容されている状態）を示す図である。
【００８６】
図９に示すように、カートリッジ５００は一側が中結部７００の内部に収容されており、ネジ部移動突起５０４がスリット７０２の外部に突出している。
【００８７】
この際、前記カートリッジ５００が中結部７００の一側端に挿入されるとき、ネジ部移動突起５０４がスリット７０２上に装着するように、中結部７００の内部の一側端からスリット７０２まで誘導ガイドライン溝が形成されていることが好ましい。
【００８８】
この際、前記カートリッジ５００のネジ部移動突起５０４は中結部７００のスリット７０２の他端側に位置するようになる。
【００８９】
また、前記中結部７００は上軸１００の内部に収容され、上軸結合用溝７０６は中結部結合用突条１０１とかみ合っており、前記カートリッジ５００のネジ部移動突起５０４が上軸ネジ部１０２の斜面と当接している。
【００９０】
また、前記カートリッジ５００は他側がボールシャッター６００の内部に収容されており、ボールシャッター移動突起５０９はボールシャッター６００のカートリッジ移動スリット６０９の下端に位置（カートリッジ５００のスプリング係止突起５０３とボールシャッター６００のホルダー６３０の端部の間に位置する第１スプリング７１の復元力によってカートリッジ５００とボールシャッター６００を互いに押し出す力が発生するから）している。
【００９１】
また、下軸２００とボールシャッター６００の間に位置する第２スプリング７２の復元力によって、リング固定段部２０４に固定されているＯリング部６１０からホルダー６３０が引っぱられるので、ボール型ドア６２０が回転してホルダー６３０の入口を密閉している状態となる。
【００９２】
すなわち、前記Ｏリング６１１は前記ニブ孔２０５に固定的に位置するので、前記ホルダー６３０の後退によって第１ヒンジ部６１３と第２ヒンジ部６３５が折れ、ボール型ドア６２０が９０°回転して前記ホルダー１３０の上端口１３２を塞ぐようになる。
【００９３】
このような状態で、図１０のように、中結部７００と固定的に結合されている下軸２００を回転（上軸ネジ部１０２の斜面方向に）させれば、中結部７００のスリット７０２の外部に突出しているネジ部移動突起５０４が上軸ネジ部１０２の斜面に沿って下方に移動しながらスリット上では直線移動することにより、カートリッジ５００がニブ孔２０５の方向に前進するようになる。
【００９４】
前記カートリッジ５００の前進によって第１スプリング７１及びボールシャッター６００が一体的に前進し（この時は第１スプリング７１の圧縮がほとんどない）、前記ボールシャッター６００と下軸２００の間に介在されている第２スプリング７２の圧縮によってボールシャッター６００には復元力が発生してボール型ドア６２０がホルダー６３０を開放することにより、ニブ５０１の進行経路を提供するようになる。
【００９５】
すなわち、ホルダー６３０は前記所定ストロークの距離だけ前進し、第１ヒンジ部６１３がボール型ドア６２０の連結部端部でヒンジを中心に回動するとともに前記第２ヒンジ部６３５の折れが前記移動割合に対応してひろがるようになる。
【００９６】
また、前記ホルダー６３０の前進割合に対応した回転角だけボール型ドア６２０を回転させるようになる。
【００９７】
前記ホルダー６３０の前進によって前記第１ヒンジ部６１３と第２ヒンジ部６３５はもう一層前記ボール型ドア６２０を回転させるようになり、前記のようにホルダー６３０の前進とこれによるボール型ドア６２０の回転が継続して進めば、図１０のように、ニブ５０１がニブ孔２０５を通過して外部に突出することができる通路が提供される。
【００９８】
この際、前記ボール型ドア６２０は９０度回転して球面６２１が軸の内壁と見合う状態になり、前記第２ヒンジ部６３５の折れは元の状態に復帰して平たい状態になる。
【００９９】
これにより、ボール型ドア６２０の貫通路はカートリッジ５００の軸方向と一致するように開放している。
【０１００】
同時に、貫通路の内部には前記前進したホルダー６３０、ニブ５０１及びＯリング部６１０が位置するようになる。
【０１０１】
この際、依然としてカートリッジ５００のニブ５０１の端部や周囲表面はボール型ドア６２０の貫通路内に非接触状態で位置しているため、ニブ５０１のインクがボール型ドアの内部形状のどの部位にも付いて出ることがなく、ニブ孔２０５の内側に位置するニブ５０１の端部が肉眼で見られる。
【０１０２】
このような状態で、下軸２００をさらに回転させれば、前記カートリッジ５００のネジ部移動突起５０４は継続して上軸ネジ部１０２の斜面と当接した状態で下方に移動し、スリット上で下降移動するようになる。
【０１０３】
また、第２スプリング７２の圧縮によるボールシャッター６００の開放状態で、前記カートリッジ５００のネジ部移動突起５０４の継続的な下向移動によってカートリッジ５００のスプリング係止突起５０３とボールシャッター６００のホルダー６３０の端部の間に介在されている第１スプリング７１が圧縮され、カートリッジ５００のボールシャッター移動突起５０９はボールシャッター６００のカートリッジ移動スリット６０９に沿って下降（前進）するようになる。
【０１０４】
図１１のように、下軸２００の回転が続けば、中結部７００の回転防止突起７０１が上軸１００のストッパー１０３と当接し、下軸２００が回転し続けると、前記回転防止突起７０１がストッパー１０３を越えて係止突起１０４にかかるようにする−ストッパー１０３と係止突起１０４の間に位置−ことにより、中結部７００が回転反対方向に動かずに固定状態を維持するようにする。
【０１０５】
前記固定状態（回転防止突起７０１がストッパー１０３と係止突起１０４の間に位置して回転運動しない状態）になれば、ニブ５０１はニブ孔２０５から突出た状態で後退しない固定位置を持つようになる。
【０１０６】
このような前記固定状態で、前記中結部７００の回転防止突起７０１が上軸１００のストッパーを越えるように下軸２００に回転反対方向の力を加えて回転させれば、第１スプリング７１の復元力が発生して第１スプリング７１がカートリッジ５００を押し出して後退させるようにする。
【０１０７】
前記カートリッジ５００の後退により、前記ネジ部移動突起５０４は上軸ネジ部１０２に沿って上方に移動しながら回転し、中結部７００のスリット７０２に沿って上方に直線移動するようになる。
【０１０８】
前記カートリッジ５００の回転によって中結部７００も一緒に回転するようになり、これによりカートリッジ５００はネジ部に沿って回転しながら上方に移動するとともにスリットに沿って直線上方に移動するようになる。
【０１０９】
前記第１スプリング７１の復元力によってカートリッジ５００が後退することにより、ニブ５０１がボールシャッター６００のホルダー６３０内に位置すれば、前記第２スプリング７２の復元力が発生して、ボールシャッター６００、第１スプリング７１及びカートリッジ５００が一体的に後退するようになる。
【０１１０】
前記第２スプリング７２の復元力により、下軸２００のリング固定段部２０４に固定されているボールシャッター６００のＯリング部６１０とホルダー６３０の間の距離が大きくなるにつれて第１ヒンジ部６１３と第２ヒンジ部６３５が折れるとともにボール型ドア６２０が回転してホルダー６３０の入口を密閉するようにする。
【０１１１】
その後、カートリッジ５００が後進し続けるにつれて、前記カートリッジ連結部の段部がホルダー１３０の下端口１３１に後退したカートリッジ５００はそのネジ部移動突起５０４が上軸ネジ部１０２の端部に接してそれ以上移動することができないまでずっと上方に回転し、前記ネジ部移動突起５０４が上軸ネジ部１０２の端部に接触すれば、カートリッジ５００、中結部７００及び下軸２００の回転がいずれも停止される。
【０１１２】
前記の状態では、第１スプリング７１がボールシャッター６００とカートリッジ５００を互いに押し出す力が発生して、ネジ部移動突起５０４がネジ部の端部と密接に当触し、再び図９のような状態になる。
【図１】
0005551235.tif 000002
【図２】
0005551235.tif 000003
【図３】
0005551235.tif 000004
【図４】
0005551235.tif 000005
【図５】
0005551235.tif 000006
【図６】
0005551235.tif 000007
【図７】
0005551235.tif 000008
【図８】
0005551235.tif 000009
【図９】
0005551235.tif 000010
【図１０】
0005551235.tif 000011
【図１１】
0005551235.tif 000012